【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
便器に設置され洗浄機能を有する洗浄便座装置本体と、前記洗浄便座装置本体の前記機能を制御するための制御信号を変調・増幅する無線回路と、前記制御信号を電波信号として出力するアンテナと、前記無線回路及び前記アンテナを筐体内に配置されるリモコン装置と、を備えたトイレ機器システムにおいて、前記リモコン装置は塩ビ鋼板などの導電部材を有するトイレブースの壁面に着脱自在に取り付けられると共に、前記アンテナはループアンテナであり、前記リモコン装置の前記壁面への取り付け時、前記リモコン装置の前記無線回路が設けられた基板はこの壁面と略平行に位置し前記ループアンテナは前記基板に略垂直な垂直部を有することを特徴とするトイレ機器システム。
【請求項２】
請求項１に記載のトイレ機器システムにおいて、前記リモコン装置の前記ループアンテナは、前記垂直部と接続され前記基板に略平行な平行部を備えたことを特徴とするトイレ機器システム。
【請求項３】
請求項２に記載のトイレ機器システムにおいて、前記リモコン装置の前記平行部は、前記基板に配線パターンとして形成されたことを特徴とするトイレ機器システム。
【請求項４】
請求項１〜３のいずれか１項に記載のトイレ機器システムにおいて、前記リモコン装置の前記基板と略垂直に接続される第２の基板を有し、前記垂直部は第２の基板に配線パターンとして形成されたことを特徴とするトイレ機器システム。
【請求項５】
浴室に設置され乾燥風を吐出させる乾燥機本体と、前記乾燥機本体の前記機能を制御するための制御信号を変調・増幅する無線回路と、前記制御信号を電波信号として出力するアンテナと、前記無線回路及び前記アンテナを筐体内に配置されるリモコン装置と、を備えた浴室機器システムにおいて、前記リモコン装置は塩ビ鋼板などの導電部材を有する浴室壁面に着脱自在に取り付けられると共に、前記アンテナはループアンテナであり、前記リモコン装置の前記壁面への取り付け時、前記リモコン装置の前記無線回路が設けられた基板はこの壁面と略平行に位置し前記ループアンテナは前記基板に略垂直な垂直部を有することを特徴とする浴室機器システム。
【請求項６】
請求項５に記載の浴室機器システムにおいて、前記リモコン装置の前記ループアンテナは、前記垂直部と接続され前記基板に略平行な平行部を備えたことを特徴とする浴室機器システム。
【請求項７】
請求項６に記載の浴室機器システムにおいて、前記リモコン装置の前記平行部は、前記基板に配線パターンとして形成されたことを特徴とする浴室機器システム。
【請求項８】
請求項５〜７のいずれか１項に記載の浴室機器システムにおいて、前記リモコン装置の前記基板と略垂直に接続される第２の基板を有し、前記垂直部は第２の基板に配線パターンとして形成されたことを特徴とする浴室機器システム。
【手続補正２】
【補正対象書類名】明細書
【補正対象項目名】発明の名称
【補正方法】変更
【補正の内容】
【発明の名称】トイレ機器システム及び浴室機器システム
【手続補正３】
【補正対象書類名】明細書
【補正対象項目名】００１５
【補正方法】変更
【補正の内容】
【００１５】
上記問題を解決するために、請求項１記載の発明は、便器に設置され洗浄機能を有する洗浄便座装置本体と、前記洗浄便座装置本体の前記機能を制御するための制御信号を変調・増幅する無線回路と、前記制御信号を電波信号として出力するアンテナと、前記無線回路及び前記アンテナを有するリモコン装置と、を備えたトイレ機器システムにおいて、前記リモコン装置は塩ビ鋼板などの導電部材を有するトイレブースの壁面に着脱自在に取り付けられると共に、前記アンテナはループアンテナであって、前記リモコン装置の前記壁面への取り付け時、前記リモコン装置の前記無線回路が設けられた基板はこの壁面と略平行に位置し前記ループアンテナは前記基板に略垂直な垂直部を有することを特徴とする。
【手続補正４】
【補正対象書類名】明細書
【補正対象項目名】００１６
【補正方法】変更
【補正の内容】
【００１６】
また、請求項２に記載の発明は、請求項１に記載のトイレ機器システムにおいて、前記リモコン装置の前記ループアンテナは、前記垂直部と接続され前記基板に略平行な平行部を備えたことを特徴とする。
【手続補正５】
【補正対象書類名】明細書
【補正対象項目名】００１７
【補正方法】変更
【補正の内容】
【００１７】
また、請求項３に記載の本発明は、請求項２に記載のトイレ機器システムにおいて、前記リモコン装置の前記平行部は、前記基板に配線パターンとして形成されたことを特徴とする。
【手続補正６】
【補正対象書類名】明細書
【補正対象項目名】００１８
【補正方法】変更
【補正の内容】
【００１８】
また、請求項４に記載の本発明は、請求項１〜３のいずれか１項に記載のトイレ機器システムにおいて、前記リモコン装置の前記基板と略垂直に接続される第２の基板を有し、前記垂直部は第２の基板に配線パターンとして形成されたことを特徴とする。
【手続補正７】
【補正対象書類名】明細書
【補正対象項目名】００１９
【補正方法】変更
【補正の内容】
【００１９】
また、請求項５に記載の本発明は、浴室に設置され乾燥風を吐出させる乾燥機本体と、前記乾燥機本体の前記機能を制御するための制御信号を変調・増幅する無線回路と、前記制御信号を電波信号として出力するアンテナと、前記無線回路及び前記アンテナを筐体内に配置されるリモコン装置と、を備えた浴室機器システムにおいて、前記リモコン装置は塩ビ鋼板などの導電部材を有する浴室壁面に着脱自在に取り付けられると共に、前記アンテナはループアンテナであり、前記リモコン装置の前記壁面への取り付け時、前記リモコン装置の前記無線回路が設けられた基板はこの壁面と略平行に位置し前記ループアンテナは前記基板に略垂直な垂直部を有することを特徴とする。
【手続補正８】
【補正対象書類名】明細書
【補正対象項目名】００２０
【補正方法】変更
【補正の内容】
【００２０】
また、請求項６に記載の本発明は、請求項５に記載の浴室機器システムにおいて、前記リモコン装置の前記ループアンテナは、前記垂直部と接続され前記基板に略平行な平行部を備えたことを特徴とする。
【手続補正９】
【補正対象書類名】明細書
【補正対象項目名】００２１
【補正方法】変更
【補正の内容】
【００２１】
また、請求項７に記載の本発明は、請求項６に記載の浴室機器システムにおいて、前記リモコン装置の前記平行部は、前記基板に配線パターンとして形成されたことを特徴とする。
【手続補正１０】
【補正対象書類名】明細書
【補正対象項目名】００２２
【補正方法】変更
【補正の内容】
【００２２】
また、請求項８に記載の本発明は、請求項５〜７のいずれか１項に記載の浴室機器システムにおいて、前記リモコン装置の前記基板と略垂直に接続される第２の基板を有し、前記垂直部は第２の基板に配線パターンとして形成されたことを特徴とする。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
請求項１に記載の発明によれば、トイレ機器システムにおいて、塩ビ鋼板等によって形成されている壁面にリモコン装置を着脱自在に取り付けられる場合、前記壁面への取り付け時にこの壁面と略平行に位置し、前記電波信号を出力するための無線回路が設けられた基板と、前記基板に略垂直な垂直部を設けたループアンテナと、を備え、前記無線回路は前記ループアンテナに信号を出力するので、塩ビ鋼板等によって形成されている壁面にリモコン装置を取り付けた場合であっても、ループアンテナが壁面と略垂直であるため、壁面内の導電部材による影響を抑えることが可能となる。
【手続補正１３】
【補正対象書類名】明細書
【補正対象項目名】００２５
【補正方法】変更
【補正の内容】
【００２５】
また、請求項２に記載の発明によれば、前記リモコン装置の前記ループアンテナは、前記垂直部と接続され前記基板に略平行な平行部を備えたので、平行部と垂直部とでループアンテナを分割することができ、垂直部の面積を小さくすることができる。
【手続補正１４】
【補正対象書類名】明細書
【補正対象項目名】００２６
【補正方法】変更
【補正の内容】
【００２６】
また、請求項３に記載の発明によれば、前記リモコン装置の前記平行部は、前記基板に配線パターンとして形成されたので、容易にアンテナを形成することが可能となる。
【手続補正１５】
【補正対象書類名】明細書
【補正対象項目名】００２７
【補正方法】変更
【補正の内容】
【００２７】
また、請求項４に記載の発明によれば、前記リモコン装置の前記基板と略垂直に接続される第２の基板を有し、前記垂直部は第２ の基板に配線パターンとして形成されたので、容易にアンテナを形成することが可能となる。
【手続補正１６】
【補正対象書類名】明細書
【補正対象項目名】００２８
【補正方法】変更
【補正の内容】
【００２８】
また、請求項５に記載の発明によれば、浴室機器システムにおいて、塩ビ鋼板等によって形成されている壁面にリモコン装置を着脱自在に取り付けられる場合、前記壁面への取り付け時にこの壁面と略平行に位置し、前記電波信号を出力するための無線回路が設けられた基板と、前記基板に略垂直な垂直部を設けたループアンテナと、を備え、前記無線回路は前記ループアンテナに信号を出力するので、塩ビ鋼板等によって形成されている壁面にリモコン装置を取り付けた場合であっても、ループアンテナが壁面と略垂直であるため、壁面内の導電部材による影響を抑えることが可能となる。
【手続補正１７】
【補正対象書類名】明細書
【補正対象項目名】００２９
【補正方法】変更
【補正の内容】
【００２９】
また、請求項６に記載の発明によれば、前記リモコン装置の前記ループアンテナは、前記垂直部と接続され前記基板に略平行な平行部を備えたので、平行部と垂直部とでループアンテナを分割することができ、垂直部の面積を小さくすることができる。
【手続補正１８】
【補正対象書類名】明細書
【補正対象項目名】００３０
【補正方法】変更
【補正の内容】
【００３０】
また、請求項７に記載の発明によれば、前記リモコン装置の前記平行部は、前記基板に配線パターンとして形成されたので、容易にアンテナを形成することが可能となる。
【手続補正１９】
【補正対象書類名】明細書
【補正対象項目名】００３１
【補正方法】変更
【補正の内容】
【００３１】
また、請求項８に記載の発明によれば、前記リモコン装置の前記基板と略垂直に接続される第２の基板を有し、前記垂直部は第２の基板に配線パターンとして形成されたので、容易にアンテナを形成することが可能となる。
【手続補正２０】
【補正対象書類名】明細書
【補正対象項目名】００３１
【補正方法】削除
【補正の内容】